(57)【要約】      （修正有）【課題】付近を通過する歩行者や車両の運転者等がその存在に気付き易いため、事故の発生を防ぐことができるカーブミラーを提供する。【解決手段】ミラー３と、該ミラーを支える支柱５とを有するカーブミラー１であって、デザイン表示板９と、少なくとも前記デザイン表示板に付けられた１つ以上の発光体と、太陽電池１３と、該太陽電池によって発生させた電気を蓄える蓄電池と、特定箇所に移動体が存在するか否かを判断するセンサー１７と、該センサーによる判断結果として前記特定箇所に前記移動体が存在する場合に、前記蓄電池に蓄えられた電気を用いて前記発光体を発光させる制御装置とをさらに有し、前記発光体を発光させることで前記デザイン表示板および前記ミラーを目立たせることができる。【選択図】図１
0003165887.tif 000002
【実用新案登録請求の範囲】
【請求項１】
ミラーと、前記ミラーを支える支柱とを有するカーブミラーであって、
デザイン表示板と、
少なくとも前記デザイン表示板に付けられた１つ以上の発光体と、
太陽電池と、
前記太陽電池によって発生させた電気を蓄える蓄電池と、
特定箇所に移動体が存在するか否かを判断するセンサーと、
前記センサーによる判断結果として前記特定箇所に前記移動体が存在する場合に、前記蓄電池に蓄えられた電気を用いて前記発光体を発光させる制御装置と、
をさらに有し、前記発光体を発光させることで前記デザイン表示板および前記ミラーを目立たせることができる、カーブミラー。
【請求項２】
前記制御装置が、
前記蓄電池に蓄えられた電気量が少ない場合に、前記発光体を発光させる時間を少なくする機能をさらに備える、請求項１に記載のカーブミラー。
【請求項３】
夜間照明装置、ボイス発生器、監視カメラ、電気時計、緊急防犯記録装置、緊急放送または音響装置をさらに有する、請求項１または２に記載のカーブミラー。
【考案の詳細な説明】
【技術分野】
【０００１】
本考案は、道路の交差点や曲がり角等に設置されるカーブミラーに関する。
【背景技術】
【０００２】
カーブミラーは、信号機のない交差点や見通しの悪い角地などに設けられ、交差点や角地に進入しようとする車両等を像として反射し、他の車両の運転者等が進入車の存在を認識できるようにするものである。
【考案の概要】
【考案が解決しようとする課題】
【０００３】
しかしながら、従来のカーブミラーの場合、その付近を通過する歩行者や車両の運転者等がカーブミラーそのものの存在に気がつかず、事故が発生する場合があった。特に夜間はカーブミラーが見難いため、それが顕著であった。
【０００４】
本考案は、その付近を通過する歩行者や車両の運転者等がその存在に気付き易いため、事故の発生を防ぐことができるカーブミラーを提供することを目的とする。
【課題を解決するための手段】
【０００５】
本考案者は上記のような課題を解決するために鋭意検討し、本考案を完成させた。
本考案は次の（１）〜（３）である。
（１）ミラーと、前記ミラーを支える支柱とを有するカーブミラーであって、
デザイン表示板と、
少なくとも前記デザイン表示板に付けられた１つ以上の発光体と、
太陽電池と、
前記太陽電池によって発生させた電気を蓄える蓄電池と、
特定箇所に移動体が存在するか否かを判断するセンサーと、
前記センサーによる判断結果として前記特定箇所に前記移動体が存在する場合に、前記蓄電池に蓄えられた電気を用いて前記発光体を発光させる制御装置と、
をさらに有し、前記発光体を発光させることで前記デザイン表示板および前記ミラーを目立たせることができる、カーブミラー。
（２）前記制御装置が、
前記蓄電池に蓄えられた電気量が少ない場合に、前記発光体を発光させる時間を少なくする機能をさらに備える、上記（１）に記載のカーブミラー。
（３）夜間照明装置、ボイス発生器、監視カメラ、電気時計、緊急防犯記録装置、緊急放送または音響装置をさらに有する、上記（１）または（２）に記載のカーブミラー。
【考案の効果】
【０００６】
本考案によれば、その付近を通過する歩行者や車両の運転者等がその存在に気付き易いため、事故の発生を防ぐことができるカーブミラーを提供することができる。特に夜間であってもその存在を目立たせることができ、事故の発生を防ぐことができる。また、特定種類のデザイン表示板とすれば、子供の注意を引いて注意喚起することができるので、子供の安全を確保することができ好ましい。
【図面の簡単な説明】
【０００７】
【図１】本考案のカーブミラーの具体例を示す概略図である。
【図２】デザイン表示板を例示する概略図である。
【図３】本考案の一態様を説明するための概略図である。
【考案を実施するための形態】
【０００８】
本考案について説明する。
本考案は、ミラーと、前記ミラーを支える支柱とを有するカーブミラーであって、デザイン表示板と、少なくとも前記デザイン表示板に付けられた１つ以上の発光体と、太陽電池と、前記太陽電池によって発生させた電気を蓄える蓄電池と、特定箇所に移動体が存在するか否かを判断するセンサーと、前記センサーによる判断結果として前記特定箇所に前記移動体が存在する場合に、前記蓄電池に蓄えられた電気を用いて前記発光体を発光させる制御装置と、をさらに有し、前記発光体を発光させることで前記デザイン表示板および前記ミラーを目立たせることができる、カーブミラーである。
【０００９】
本考案について、図を用いて具体的に説明する。
図１は、本考案のカーブミラーの具体例を示す概略図である。
図１に示すカーブミラー１は、ミラー３と、ミラー３を支える支柱５とを有している。そして、支柱５は道路７に埋設されている。
また、カーブミラー１はデザイン表示板９を有しており、デザイン表示板９には発光体としてＬＥＤ電球１１が２つ付けられている。このＬＥＤ電球１１を光らせることでデザイン表示板９を目立たせ、周辺に存する歩行者等に、カーブミラー１の存在を気付かせることができる。発光体はＬＥＤ電球であることが好ましく、赤色ＬＥＤ電球であることがより好ましい。
【００１０】
また、カーブミラー１は、太陽電池１３と、制御ボックス１５とを有している。制御ボックス１５の中には制御装置および蓄電池が設置されている。そして、太陽電池１３によって発生させた電気を蓄電池に蓄えることができるように構成されている。また、制御装置は、次に説明するセンサー１７からの情報を得て、その情報に基づき、蓄電池に蓄えられた電気を用いてＬＥＤ電球１１を点灯、点滅または消灯させることができる。例えば６０回／秒で１０秒間、点滅させることが好ましい。
【００１１】
また、カーブミラー１は、センサー１７をデザイン表示板９の中央付近に有しており、カーブミラー１の周辺の特定箇所に移動体（歩行者、動物、車両等）が存在するか否かを判断できるものである。例えば赤外線センサーによって特定箇所に移動体が存在するか否かを判断し、存在する場合に所定の電気信号を発信できるものである。特定箇所に移動体が存在するとの情報が信号としてセンサー１７から制御装置へ送られると、制御装置は蓄電池に蓄えられた電気を用いてＬＥＤ電球１１を発光させる構成となっている。
【００１２】
なお、本考案においては必須の構成要素ではないが、具体例として示すカーブミラー１は、さらに「注意」と記載された注意板１９を有しており、その注意板１９には、ＬＥＤ電球１１と同じ発光体であるＬＥＤ電球２１が８つ付けられている。そして、このＬＥＤ電球２１は、ＬＥＤ電球１１と同様に動作するように構成されている。すなわち、特定箇所に移動体が存在するとの情報がセンサー１７から制御装置へ送られると、制御装置は蓄電池に蓄えられた電気を用いてＬＥＤ電球２１を発光させる構成となっている。
【００１３】
このようなカーブミラー１は、移動体が特定箇所を通過した場合に、発光体としてのＬＥＤ電球１１を発光させることで、デザイン表示板９およびミラー３を目立たせ、通行人や車両の運転者等にその存在を気付かせ注意喚起することができるものである。カーブミラー１に代表される本考案のカーブミラーは、デザイン表示板を有するので十分に目立ち、周囲の通行人や車両の運転者等にその存在を気付かせることができるが、デザイン表示板に加えて上記のような発光体を発光させることができる機能を備えるので、より目立つ。また、特に夜間であっても、通行人や車両の運転者等にその存在を気付かせることができるという好ましい性能を備える。また、発光体は常に発光しているのではなく、移動体が特定箇所を通過したときのみ発光するので、通行人や車両の運転者等へその存在を気付かせる性能が高い。
【００１４】
本考案のカーブミラーにおいてデザイン表示板は、例えば、図２（ａ）、（ｂ）および（ｃ）に示すような態様のものであってもよい。
このような子供向けキャラクターデザインを備えるデザイン表示板であると、子供の注意を引いて注意喚起することができるので、子供の安全を確保することができ好ましい。
また、デザイン表示板には、企業等の広告を表示することもできる。
【００１５】
また、図１に示した具体例のカーブミラー１では、センサー１７をデザイン表示板９の中央付近に有しており、このセンサー１７によってカーブミラー１の周辺の特定箇所に移動体が存在するか否かを判断するが、本考案のカーブミラーにおいてセンサーの設置位置は特に限定されず、デザイン表示板や支柱などから離れた箇所に独立して設置してもよい。この場合、センサーは特定箇所に移動体が存在するか否かを判断した結果の情報を無線信号として発信する機能を備え、さらに、制御装置はその信号を受信する受信機を有するものとなる。そして、送信機から送信した信号を受信機によって受信し、その情報に基づいて制御装置が発光体を制御する構成を備えることとなる。
このような態様について、図３を用いて説明する。
【００１６】
図３は、本考案のカーブミラー３０が設置されたＴ字路を上から見た図（概略図）である。図３では簡略して、カーブミラー３０が備える構成として、ミラー３２のみを記した。
この態様では、４０で示される特定箇所に移動体が存在するか否かを判断できるように、４０で示される位置にセンサーが設置されている。この特定箇所４０を歩行者４２が通過すると、それを感知したセンサーが信号を送信し、それをカーブミラー３０が備える受信機が受信し、制御装置がカーブミラー３０が備える発光体を発光させる。そうすると、車両４４の運転者に注意喚起することができるので、歩行者４２の安全を確保することができる。本考案のカーブミラー３３は発光するので、夜間であっても車両４４の運転者にその存在を気付かせ、注意喚起することができる。
なお、図３に示す場合において特定箇所４０は、車両４４の運転者の死角である。
【００１７】
また、本考案のカーブミラーにおいて、前記制御装置が、前記蓄電池に蓄えられた電気量が少ない場合に、前記発光体を発光させる時間を少なくする機能をさらに備えるものであることが好ましい。太陽電池によって得た電気を用いるので、夜間や曇りの場合は発電し難い。よって、このような機能を有すると、長時間の動作が可能となるので好ましい。
【００１８】
また、発光体を発光させた直後は、発光体を発光させずに、次の発光までの間隔を確保することが好ましい。例えば、６０回／秒で１０秒間、点滅させた後は、例えば１０秒間は点滅させない。このように動作させることで、蓄電池に溜められた電気を長く利用できるので好ましい。
【００１９】
また、本考案のカーブミラーは、さらに、夜間照明装置、ボイス発生器、監視カメラ、電気時計、緊急防犯記録装置、緊急放送または音響装置を有することが好ましい。
【００２０】
本考案のカーブミラーは、ファミリーレストランの駐車場や公園、その他商業施設における移動体が行き交う場に設置して用いることができる。
【符号の説明】
【００２１】
１    カーブミラー
３    ミラー
５    支柱
７    道路
９    デザイン表示板
１１    ＬＥＤ電球
１３    太陽電池
１５    制御ボックス
１７    センサー
１９    注意板
２１    ＬＥＤ電球
３０    カーブミラー
３２    ミラー
４０    特定箇所
４２    歩行者
４４    車両
【図１】
0003165887.tif 000003
【図２】
0003165887.tif 000004
【図３】
0003165887.tif 000005